(57)【要約】【課題】居室内等の屋内空間の美観を損ねることなく配置することができる照明ユニットおよび照明ユニットの設置方法を提供するとともに、取付金具や吊りボルト等の数量を減少させて照明設置工事の施工コストを軽減させることを目的としている。【解決手段】屋内空間の上部に配置され屋内空間に光をあてる照明器具本体７と、屋内空間の上部に配線される配線ケーブル１６を載せるケーブルラック８とから構成される照明ユニット５であって、照明器具本体７の少なくとも一側方には、ケーブルラック８が一体に備えられている。【選択図】      図３
2004247063.tif 000002
【特許請求の範囲】
【請求項１】
屋内空間の上部に配置され該屋内空間に光をあてる照明器具本体と、前記屋内空間の上部に配線される配線ケーブルを載せるケーブルラックとから構成される照明ユニットであって、
前記照明器具本体の少なくとも一側方には、前記ケーブルラックが一体に備えられていることを特徴とする照明ユニット。
【請求項２】
請求項１記載の照明ユニットにおいて、
前記ケーブルラックの端部には、隣り合う前記照明ユニット同士を連結する連結部が設けられていることを特徴とする照明ユニット。
【請求項３】
請求項１または２記載の照明ユニットにおいて、
前記ケーブルラックの端部側方には、前記照明器具本体に併設される設備機器を設置する設備機器設置部が形成されていることを特徴とする照明ユニット。
【請求項４】
請求項１から３のいずれかに記載の照明ユニットにおいて、前記ケーブルラックの下面は、目隠しされていることを特徴とする照明ユニット。
【請求項５】
屋内空間の上部に配置され該屋内空間に光をあてる照明器具本体と、前記屋内空間の上部に配線される配線ケーブルを載せるケーブルラックとから構成される照明ユニットの設置方法であって、
前記照明器具本体の少なくとも一側方に前記ケーブルラックを取り付け、前記照明器具本体と前記ケーブルラックとを一体化した状態で前記屋内空間の上部に配置することを特徴とする照明ユニットの設置方法。
【請求項６】
屋内空間の上部に配置され該屋内空間に光をあてる照明器具本体と、前記屋内空間の上部に配線される配線ケーブルを載せるケーブルラックとから構成される照明ユニットの設置方法であって、
前記屋内空間の上部に、前記ケーブルラックと前記照明器具本体とのうち何れか一方を配置し、他方を前記ケーブルラックと前記照明器具本体とのうち何れか一方に支持させることを特徴とする照明ユニットの設置方法。
【発明の詳細な説明】
【０００１】
【発明の属する技術分野】
本発明は、例えばビルや工場等の建造物の居室や廊下等の屋内空間に光を照らす照明ユニットであって、屋内空間に光を照らす照明器具本体と配線ケーブルを載せるケーブルラックとから構成される照明ユニットおよび照明ユニットの設置方法に関する。
【０００２】
【従来の技術】
一般に、オフィスビルのインターネットデータセンター等では配線の盛替え工事が頻繁に行われ、そのボリュームが大きいため、居室内の天井は貼らずに配線ケーブルや照明器具本体を露出させる場合が多い。この場合、照明器具本体は、上方のスラブに取付金具や吊りボルト等を介して固定されたレースウェイにより居室内の上部に配置されている。また、居室内の上部には、配線用のケーブルラックが上方のスラブから吊りボルト等により吊るされている（例えば、特許文献１参照。）。
【０００３】
【特許文献１】
特開２００１−１９３３０７号公報  （第３頁、第５図、第７図）
【０００４】
【発明が解決しようとする課題】
しかしながら、上記した従来の方法によると、居室内の上部は照明器具本体のレースウェイと配線用のケーブルラックとで煩雑になり、居室内の美観を著しく損ねる。また、レースウェイとケーブルラックとの双方に取付金具や吊りボルト等が必要であり、取付金具や吊りボルト等の数量が多くなる。このため、取付金具や吊りボルト等の取付手間と材料費とが多く必要になり、照明設置工事の施工コストが増大する。
【０００５】
本発明は、上記した従来の問題が考慮されたものであり、居室内等の屋内空間の美観を損ねることなく配置することができる照明ユニットおよび照明ユニットの設置方法を提供するとともに、取付金具や吊りボルト等の数量を減少させて照明設置工事の施工コストを軽減することを目的としている。
【０００６】
【課題を解決するための手段】
請求項１記載の発明は、屋内空間の上部に配置され該屋内空間に光をあてる照明器具本体と、前記屋内空間の上部に配線される配線ケーブルを載せるケーブルラックとから構成される照明ユニットであって、前記照明器具本体の少なくとも一側方には、前記ケーブルラックが一体に備えられていることを特徴としている。
【０００７】
請求項５記載の発明は、屋内空間の上部に配置され該屋内空間に光をあてる照明器具本体と、前記屋内空間の上部に配線される配線ケーブルを載せるケーブルラックとから構成される照明ユニットの設置方法であって、前記照明器具本体の少なくとも一側方に前記ケーブルラックを取り付け、前記照明器具本体と前記ケーブルラックとを一体化した状態で前記屋内空間の上部に配置することを特徴としている。
【０００８】
請求項６記載の発明は、屋内空間の上部に配置され該屋内空間に光をあてる照明器具本体と、前記屋内空間の上部に配線される配線ケーブルを載せるケーブルラックとから構成される照明ユニットの設置方法であって、前記屋内空間の上部に前記ケーブルラックと前記照明器具本体とのうち何れか一方を配置し、他方を前記ケーブルラックと前記照明器具本体とのうち何れか一方に支持させることを特徴としている。
【０００９】
このような特徴により、照明器具本体とケーブルラックとは一体化されているため、屋内空間の上部は照明器具本体のレースウェイや配線用のケーブルラックで煩雑になることはなく整然となる。また、照明器具本体とケーブルラックとが一体で固定されているため、照明器具とケーブルラックとが各々上方のスラブから吊り下がっている場合等に比べて、吊りボルト等の数は減少する。
【００１０】
請求項２記載の発明は、請求項１記載の照明ユニットにおいて、前記ケーブルラックの端部には、隣り合う前記照明ユニット同士を連結する連結部が設けられていることを特徴としている。
【００１１】
このような特徴により、照明ユニットを連続的に配置し照明器具の列を形成するとき、隣り合う照明ユニットのケーブルラックは接続され、複数のケーブルラックは配線ケーブルの配線経路を形成する。
【００１２】
請求項３記載の発明は、請求項１または２記載の照明ユニットにおいて、前記ケーブルラックの端部側方には、前記照明器具本体に併設される設備機器を設置する設備機器設置部が形成されていることを特徴としている。
【００１３】
このような特徴により、感知器やスピーカー等の設備機器は、照明器具本体と一緒に照明ユニットに設置され、感知器やスピーカー等の配線ケーブルはケーブルラック上に敷設される。
【００１４】
請求項４記載の発明は、請求項１から３のいずれかに記載の照明ユニットにおいて、前記ケーブルラックの下面は、目隠しされていることを特徴としている。
【００１５】
このような特徴により、屋内からケーブルラック上に敷設される配線ケーブルなどは見えない。
【００１６】
【発明の実施の形態】
以下、本発明に係る照明ユニットおよび照明ユニットの設置方法の実施の形態について図面に基づいて説明する。
【００１７】
図１、図２に示すように、柱１と、柱１間に架設された梁２と、梁２間に設けられた上下のスラブ３とによって、屋内空間である居室４が形成されている。居室４内の上部には、居室４内に光を照らすための複数の照明ユニット５が水平に設けられている。複数の照明ユニット５はスラブ３の長辺方向に連続的に設けられ、居室４内上部には照明ユニット５が直線上に集まってなる照明部６が形成されている。また、照明ユニット５は、長方形の照明器具本体７と、照明器具本体７の長辺側の両側方にそれぞれ平行に備えられている長方形のケーブルラック８とから構成されている。
【００１８】
照明器具本体７は直管一灯式の蛍光灯を点灯させるものである。図３に示すように、照明器具本体７の上部には、両側方にそれぞれ張り出されている取付板９が設けられており、取付板９の先端には複数の図示せぬ貫通孔が間隔をあけて設けられている。照明器具本体７の両側方に備えられているケーブルラック８は、一枚板の亜鉛処理鋼板等に幾何模様の孔が打ち抜かれているパンチングメタルからなるものであり、表面にはアクリル系焼付塗装が施されている。ケーブルラック８の長辺両端部には立ち上がり部８ａがそれぞれ成形されており、立ち上がり部８ａの上部はそれぞれ内側に屈曲されている。照明器具本体７に近接する一方の立ち上がり部８ａの上部は取付板９の下方に配置され、該立ち上がり部８ａの上部には取付板９の先端に設けられた図示せぬ貫通孔に対向する図示せぬ貫通孔が設けられている。また、他方の立ち上がり部８ａの上部にも、一方の立ち上がり部８ａの上部に設けられた図示せぬ貫通孔と同様の図示せぬ貫通孔が設けられている。
【００１９】
図１、図３に示すように、居室４内上方のスラブ３と照明ユニット５との間には、鉛直に配置されている複数の吊りボルト１０が介在されている。複数の吊りボルト１０の下端は上記した取付板９及び立ち上がり部８ａに設けられた図示せぬ貫通孔に挿通されており、吊りボルト１０の下端には立ち上がり部８ａの下方に配置されたナット１１が螺合されている。吊りボルト１０の上端は、居室４上方のスラブ３下に定着されたインサート１２に螺合されている。
【００２０】
図４に示すように、ケーブルラック８の短辺端部には連結部１３が設けられており、連続的に配置された照明ユニット５のケーブルラック８は隣り合う照明器具５のケーブルラック８に連結されている。また、平行するケーブルラック８の短辺端部の間には、感知器やスピーカー等の照明器具本体７と併設される設備機器１４を設置する設備機器設置部１５が形成されている。また、図３に示すように、ケーブルラック８上には照明器具本体７や設備機器１４等の配線ケーブル１６が敷設されている。
【００２１】
一方、図１、図２に示すように、居室４内の上部には、配線ケーブル１６を載せるケーブルラック１６が梁２に沿って設けられている。ケーブルラック１７は吊りボルト１０を介して上方のスラブ３から垂設されており、照明ユニット５のケーブルラック８と同じレベルに配置されている。
【００２２】
次に、上記した照明ユニット５の設置方法について説明する。
【００２３】
図３に示すように、予め、一方の立ち上がり部８ａの図示せぬ貫通孔と取付板９の図示せぬ貫通孔を上下で対向させた状態で、照明器具本体７の長辺両端部にケーブルラック８をそれぞれ固定し、照明器具本体７とケーブルラック８とが一体となった照明ユニット５を製作しておく。また、このとき平行するケーブルラック８の短辺端部の間に設備機器設置部１５を付設させておく。一方、図１、図２に示すように、予め、居室４上方のスラブ３下の所定位置に図３に示すインサート１２を配設しておく。
【００２４】
次に、図３に示すように、インサート１２に吊りボルト１０を螺合させ、吊りボルト１０をスラブ３から鉛直に垂設させる。吊りボルト１０の下端部に立ち上がり部８ａおよび取付板９の図示せぬ貫通孔に挿通し、立ち上がり部８ａ上部の下方からナット１１を吊りボルト１０の下端に螺合させる。ナット１１を所定の位置まで螺合させることで照明ユニット５の設置高さ及び水平精度を調節する。図２に示すように、照明ユニット５を連続的に設置し、図４に示す連結部１３によって隣り合うケーブルラック８を連結し、平行するケーブルラック８の間に照明器具本体７が介在する照明部６を形成する。
【００２５】
次に、図３に示すように、設備機器１４を設備機器設置部１５に取り付ける。次に照明器具本体７や設備機器１４等の配線ケーブル１６をそれぞれ配線するとともに、配線ケーブル１６をケーブルラック８上に敷設する。配線ケーブル１６を、図２に示す梁２に沿って照明ユニット５のケーブルラック８と同様に設けられたケーブルラック１７上に敷設する。
【００２６】
上記のような構成からなる照明ユニット５および照明ユニット５の設置方法によれば、照明器具本体７はケーブルラック８に挟まれて整然と収まっているため、居室４の上部は照明ユニット５のレースウェイや配線用のケーブルラック８で煩雑になることはない。これによって、居室４内の美観は損なうことなく照明ユニット５を設置することができる。また、照明器具本体７はケーブルラック８に固定されているため、照明器具本体７は吊りボルト１０を使用せずに所定の位置に配置される。これによって、吊りボルト１０の数は減少し、照明ユニット５の設置コストを軽減することができる。
【００２７】
また、隣り合う照明ユニット５はケーブルラック８の短辺端部に設けられた連結部１３によって連結されるため、隣り合う照明ユニット５のケーブルラック８は接続され、複数のケーブルラック８は配線ケーブル１６の配線経路を形成する。これによって、配線ケーブル１６を複数のケーブルラック８上に跨って配線することができる。
【００２８】
また、平行するケーブルラック８の短辺端部の間に設備機器設置部１５が付設されているため、感知器やスピーカー等の設備機器１４は、隣り合う照明器具本体７の間に設置され、設備機器１４の配線ケーブル１６はケーブルラック８上に敷設される。これによって、設備機器１４の配線ケーブル１６で居室４内の上部を煩雑することなく、必要な設備を居室４内上部に設置することができる。また、ケーブルラック８はパンチングメタルから形成され目隠しされているため、居室４内からケーブルラック８上に敷設される配線ケーブル１６は見えない。これによって、居室４内上部の美観は向上する。
【００２９】
以上、本発明に係る照明ユニットおよび照明ユニットの設置方法の実施の形態について説明したが、本発明は上記した実施の形態に限定されるもにではなく、その趣旨を逸脱しない範囲で適宜変更可能である。例えば、本実施の形態では照明ユニット５を設置する際、予め照明器具本体７とケーブルラック８とを固定し、照明器具本体７とケーブルラック８とを一体化した状態で設置しているが、本発明はケーブルラック８を吊りボルト１０によって居室４内上部に二本平行に配置して、平行するケーブルラック８の間に照明器具本体７を介装させてもよい。これによって、照明器具本体７及びケーブルラック８のうち少なくとも一方が重量或いは形状が大きい場合に、照明器具本体７とケーブルラック８とを切り離して設置することで作業者の負担は軽減できる。
【００３０】
また、本実施の形態では長方形の照明器具本体７を使用しているが、本発明は円形や三角形等の照明器具本体７を使用してもよく、スポットライトや吊り下げ式の照明器具本体７を使用してもよい。本発明は照明器具本体７の種類や形状を問わず使用することができる。また、本実施の形態では長方形のケーブルラック８を使用しているが、本発明は照明ユニット５を段状に設置する場合や照明ユニット５をカーブさせて設置する場合等にはケーブルラック８を適当な形状に変更してもよい。
【００３１】
また、本実施の形態では平行するケーブルラック８の間に照明器具本体７を介装させているが、本発明はケーブルラック８と照明器具本体７とを平行に並べてもよく、ケーブルラック８の両側方に照明器具本体７を取り付けてもよい。また、照明器具本体７が取り付けられていないケーブルラック８と本発明に係る照明ユニット５とを接続させてもよい。
【００３２】
また、本実施の形態では照明ユニット５はケーブルラック８を支持する吊りボルト１０を介して設置されているが、本発明は壁や柱等に設けられているブラケットによって照明ユニット５を支持してもよく、居室４上方のスラブ３に直付けしてもよい。また、照明器具本体７を吊りボルト１０等で支持して照明器具本体７にケーブルラック８を片持ちさせてもよい。
【００３３】
【発明の効果】
本発明に係る照明ユニットおよび照明ユニットの設置方法によれば、照明器具本体とケーブルラックとが一体となっているため、居室内等の屋内空間の美観を損ねることなく照明ユニットを配置することができる。また、照明器具本体とケーブルラックとを一体で取り付けるため、取付金具や吊りボルト等の設置用部品の数量は軽減され、照明設置工事の施工コストを軽減することができる。
【図面の簡単な説明】
【図１】本発明に係る照明ユニットおよび照明ユニットの設置方法を説明するための全体断面図である。
【図２】本発明に係る照明ユニットおよび照明ユニットの設置方法を説明するための全体見上図である。
【図３】本発明に係る照明ユニットおよび照明ユニットの設置方法を説明するための断面図である。
【図４】本発明に係る照明ユニットおよび照明ユニットの設置方法を説明するための平面図である。
【符号の説明】
４  居室（屋内空間）
５  照明ユニット
７  照明器具本体
８  ケーブルラック
１３連結部
１４設備機器
１５設備機器設置部
１６配線ケーブル
【図１】
2004247063.tif 000003
【図２】
2004247063.tif 000004
【図３】
2004247063.tif 000005
【図４】
2004247063.tif 000006